(57)【要約】【課題】作業効率を向上させる設定装置等を提供する。【解決手段】画像データから印刷物を印刷装置（３５）で印刷して製造するための製造情報であって、印刷物の属性を含む製造情報を取得し（Ｓ１０）、画像データを印刷装置（３５）に適した印刷データに変換するための印刷条件であって、変換を調節するトーンカーブを含む印刷条件と製造情報とを予め関連付けて記憶した記憶手段（１２）を参照して、取得した製造情報に基づき、印刷条件を設定する（Ｓ１１）。【選択図】図７
2019162821.tif 000002
【特許請求の範囲】
【請求項１】
画像データから印刷物を印刷装置で印刷して製造するための製造情報であって、前記印刷物の属性を含む前記製造情報を取得する製造情報取得手段と、
前記画像データを前記印刷装置に適した印刷データに変換するための印刷条件であって、前記変換を調節するトーンカーブを含む前記印刷条件と前記製造情報とを予め関連付けて記憶した記憶手段を参照して、前記取得した製造情報に基づき、前記印刷条件を設定する印刷条件設定手段と、
を備えることを特徴とする設定装置。
【請求項２】
請求項１に記載の設定装置において、
前記記憶手段に記憶されている製造情報の中から、前記取得した製造情報の印刷物の属性に類似する前記印刷物の属性を含む製造情報を検索する検索手段と、を更に備え、
前記印刷条件設定手段が、前記検索した製造情報に基づき、前記印刷条件を設定することを特徴とする設定装置。
【請求項３】
請求項１または請求項２に記載の設定装置において、
前記印刷物を含む印刷対象を出力した出力結果を取得する出力結果取得手段と、
前記出力結果に基づき、前記記憶手段の前記印刷条件を修正する印刷条件修正手段と、
を更に備えたことを特徴とする設定装置。
【請求項４】
請求項１から請求項３のいずれか１項に記載の設定装置において、
前記製造情報は、前記印刷装置の情報を含むことを特徴とする設定装置。
【請求項５】
製造情報取得手段が、画像データから印刷物を印刷装置で印刷して製造するための製造情報であって、前記印刷物の属性を含む前記製造情報を取得する製造情報取得ステップと、
印刷条件設定手段が、前記画像データを前記印刷装置に適した印刷データに変換するための印刷条件であって、前記変換を調節するトーンカーブを含む前記印刷条件と前記製造情報とを予め関連付けて記憶した記憶手段を参照して、前記取得した製造情報に基づき、前記印刷条件を設定する印刷条件設定ステップと、
を含むことを特徴とする設定方法。
【請求項６】
コンピュータを、
画像データから印刷物を印刷装置で印刷して製造するための製造情報であって、前記印刷物の属性を含む前記製造情報を取得する製造情報取得手段、および、
前記画像データを前記印刷装置に適した印刷データに変換するための印刷条件であって、前記変換を調節するトーンカーブを含む前記印刷条件と前記製造情報とを予め関連付けて記憶した記憶手段を参照して、前記取得した製造情報に基づき、前記印刷条件を設定する印刷条件設定手段として機能させることを特徴とする設定装置用プログラム。
【発明の詳細な説明】
【技術分野】
【０００１】
本発明は、印刷におけるパラメータを設定する設定装置、設定方法、および、設定装置用プログラムに関する。
【背景技術】
【０００２】
印刷製版分野において、印刷見本の色と、印刷機により印刷された印刷物の色を合致させるため、色等の調整が行われている。例えば、特許文献１には、キーボード・マウスにより、少なくとも１つの色要素について複数の階調変換カーブの中の所望の階調変換カーブを選択し、選択された階調変換カーブで入力画像データを出力画像データに変換することができる画像出力装置が開示されている。
【先行技術文献】
【特許文献】
【０００３】
【特許文献１】特開２００１−１８６３６９号公報
【発明の概要】
【発明が解決しようとする課題】
【０００４】
ところで、顧客の印刷に対するニーズは多様で、さらに、印刷対象や印刷機によって印刷結果に影響を与える要素が多々ある。また、印刷機で印刷するための印刷条件も色の他に、線数等様々なパラメータがあり、ニーズ等に合わせた調整に、作業者の作業負荷が増大していた。しかしながら、特許文献１では、手動で調整する必要があり、作業者の作業効率を十分に上げることができなかった。
【０００５】
そこで、本発明は上記の問題点等に鑑みて為されたもので、その課題の一例は、作業効率を向上させる設定装置等を提供することを目的とする。
【課題を解決するための手段】
【０００６】
上記の課題を解決するために、請求項１に記載の発明は、画像データから印刷物を印刷装置で印刷して製造するための製造情報であって、前記印刷物の属性を含む前記製造情報を取得する製造情報取得手段と、前記画像データを前記印刷装置に適した印刷データに変換するための印刷条件であって、前記変換を調節するトーンカーブを含む前記印刷条件と前記製造情報とを予め関連付けて記憶した記憶手段を参照して、前記取得した製造情報に基づき、前記印刷条件を設定する印刷条件設定手段と、を備えることを特徴とする。
【０００７】
また、請求項２に記載の発明は、請求項１に記載の設定装置において、前記記憶手段に記憶されている製造情報の中から、前記取得した製造情報の印刷物の属性に類似する前記印刷物の属性を含む製造情報を検索する検索手段と、を更に備え、前記印刷条件設定手段が、前記検索した製造情報に基づき、前記印刷条件を設定することを特徴とする。
【０００８】
また、請求項３に記載の発明は、請求項１または請求項２に記載の設定装置において、前記印刷物を含む印刷対象を出力した出力結果を取得する出力結果取得手段と、前記出力結果に基づき、前記記憶手段の前記印刷条件を修正する印刷条件修正手段と、を更に備えたことを特徴とする。
【０００９】
また、請求項４に記載の発明は、請求項１から請求項３のいずれか１項に記載の設定装置において、前記製造情報は、前記印刷装置の情報を含むことを特徴とする。
【００１０】
また、請求項５に記載の発明は、製造情報取得手段が、画像データから印刷物を印刷装置で印刷して製造するための製造情報であって、前記印刷物の属性を含む前記製造情報を取得する製造情報取得ステップと、印刷条件設定手段が、前記画像データを前記印刷装置に適した印刷データに変換するための印刷条件であって、前記変換を調節するトーンカーブを含む前記印刷条件と前記製造情報とを予め関連付けて記憶した記憶手段を参照して、前記取得した製造情報に基づき、前記印刷条件を設定する印刷条件設定ステップと、を含むことを特徴とする。
【００１１】
また、請求項６に記載の発明は、コンピュータを、画像データから印刷物を印刷装置で印刷して製造するための製造情報であって、前記印刷物の属性を含む前記製造情報を取得する製造情報取得手段、および、前記画像データを前記印刷装置に適した印刷データに変換するための印刷条件であって、前記変換を調節するトーンカーブを含む前記印刷条件と前記製造情報とを予め関連付けて記憶した記憶手段を参照して、前記取得した製造情報に基づき、前記印刷条件を設定する印刷条件設定手段として機能させることを特徴とする。
【発明の効果】
【００１２】
本発明によれば、印刷条件と製造情報とを予め関連付けて記憶した記憶手段から、印刷物の属性を含む製造情報に基づき、変換を調節するトーンカーブを含む印刷条件が設定されるので、印刷条件の項目の値を作業者が入力する手間が軽減して作業効率が向上する。
【図面の簡単な説明】
【００１３】
【図１】本発明の実施形態に係る設定システムの概要構成例を示す模式図である。
【図２】図１の設定装置の概要構成の一例を示すブロック図である。
【図３】図２の設定装置におけるデータベースのデータの一例を示す模式図である。
【図４】図２の設定装置におけるデータベースのデータの一例を示す模式図である。
【図５】設定装置における製造情報および印刷条件の登録の動作例を示すフローチャートである。
【図６】設定画面の一例を示す模式図である。
【図７】設定装置における印刷条件の設定および修正の動作例を示すフローチャートである。
【発明を実施するための形態】
【００１４】
以下、図面を参照して本発明の実施形態について説明する。なお、以下に説明する実施の形態は、設定装置に対して本発明を適用した場合の実施形態である。
【００１５】
［１．設定システムの構成および機能概要］
まず、本発明の１実施形態に係る設定システムの構成および概要機能について、図１を用いて説明する。
【００１６】
図１は、本発明の実施形態に係る設定システムの概要構成例を示す模式図である。
【００１７】
図１に示すように、設定システム１は、製造情報に基づき印刷条件を設定する設定装置１０と、印刷物等の編集を行うＤＴＰ装置２０と、製版または印刷を制御する複数の製版・印刷サーバ装置３０と、を備える。
【００１８】
設定装置１０は、ＤＴＰ装置２０で作成されたコンテンツの画像データから印刷物を印刷装置で印刷して製造するための製造情報を取得する。製造情報は、印刷物の属性、および、印刷物を印刷する印刷装置の情報を含む。印刷物の属性は、印刷物の依頼した顧客、印刷物の品目、印刷物の表紙または本文等の印刷折名、紙種等である。
【００１９】
設定装置１０は、製造情報に基づき、画像データを印刷装置に適した印刷データに変換するための印刷のパラメータを設定する。ここで、印刷のパラメータである印刷条件を設定するための印刷条件の項目は、ＤＴＰ装置２０で作成されたコンテンツの画像データを、ＣＴＰ（Computer to Plate）やデジタル印刷用のデータに変換するために設定する項目である。印刷条件の項目は、例えば、変換を調節するトーンカーブ、単位長さ当たりの網点の密度を示す線数、ＡＭ、ＦＭ等の網点の種類を示すスクリーニング、ＧＣＲ（Gray Component Replacement）、ＵＣＲ（Under Color Removal）等の色変換用プロファイル等が挙げられる。印刷条件とは、コンテンツの画像データを、刷版による印刷や、デジタル印刷用の印刷データ変換する際に、必要な条件であって、上記の印刷条件の項目の組み合わせで表現できる。
【００２０】
設定装置１０に、端末装置（図示せず）が接続され、端末装置を介して、操作が行われてもよい。
【００２１】
ＤＴＰ装置２０は、書籍、チラシ等の製造するために必要な、入稿された画像データ、テキストデータ等から、コンテンツを作成する。ＤＴＰ装置２０に、複数の端末装置（図示せず）が接続され、端末装置を介して、組版の作業が行われてもよい。
【００２２】
製版・印刷サーバ装置３０は、設定装置１０またはＤＴＰ装置２０から受信したデータから、印刷物、印刷物校正見本、刷版、印刷製版フィルム等の印刷対象に対して、製版データ、刷版データ、デジタル印刷データ等の印刷対象用のデータを生成する。製版・印刷サーバ装置３０は、製版用のサーバと刷版用のサーバとのように別々でもよい。
【００２３】
製版・印刷サーバ装置３０は、製版用または／および印刷用の機械３５が接続されている。印刷装置の一例である機械３５が、印刷物、印刷物校正見本、刷版、印刷製版フィルム等の印刷対象を出力する。機械３５は、製版機と印刷機との２台でもよい。デジタル印刷の場合、機械３５は、インクジェットプリンタ等である。各機械３５には、印刷機ＩＤが割り当てられている。
【００２４】
製版・印刷サーバ装置３０において、製版や印刷物の検査が行われてもよい。製版・印刷サーバ装置３０に、複数の端末装置（図示せず）が接続され、端末装置を介して、作業が行われてもよい。
【００２５】
設定装置１０、ＤＴＰ装置２０、および、製版・印刷サーバ装置３０は、ネットワーク３を介して、例えば、通信プロトコルにＴＣＰ／ＩＰ等を用いて相互にデータの送受信が可能になっている。なお、ネットワーク３は、例えば、ローカルエリアネットワーク、インターネット、専用通信回線（例えば、ＣＡＴＶ（Community Antenna Television）回線）、移動体通信網、およびゲートウェイ等により構築されている。なお、端末装置が、ネットワーク３を介して、設定装置１０、ＤＴＰ装置２０、および、製版・印刷サーバ装置３０に接続していてもよい。
【００２６】
（１．２  設定装置１０の構成および機能）
次に、設定装置１０の構成および機能について、図２から図４を用いて説明する。
【００２７】
図２は、設定装置１０の概要構成の一例を示すブロック図である。図３および図４は、設定装置１０におけるデータベースのデータの一例を示す模式図である。
【００２８】
図２に示すように、コンピュータである設定装置１０は、通信部１１と、記憶部１２と、表示部１３と、操作部１４と、入出力インターフェース部１５と、制御部１６とを備えている。そして、制御部１６と入出力インターフェース部１５とは、システムバス１７を介して接続されている。
【００２９】
通信部１１は、ネットワークを介して他のサーバとのデータの送受信を行う。
【００３０】
記憶部１２は、例えば、ハードディスクドライブ、シリコンディスクドライブ等からなり、オペレーティングシステムのプログラム等を記憶する。なお、設定装置１０から取り外し可能なＵＳＢメモリ等の外部記憶部が、各種のデータを記憶しておいてもよい。
【００３１】
記憶部１２には、製造情報データベース、印刷条件データベース等が構築されている。
【００３２】
図３に示すように、記憶手段の一例の製造情報データベースには、製造情報を特定するための製造情報ＩＤに関連付けられて、印刷物の製造に必要な製造情報として、印刷する品目名、印刷を依頼した得意先名、印刷折名、印刷機ＩＤ、紙の種類等が記憶されている。製造情報データベースに、得意先の業種、業界名が、記憶されていてもよい。ここで、印刷する品目名、印刷を依頼した得意先名、印刷折名、紙の種類等が、印刷物の属性の一例である。なお、品目名等の表現は、「月刊○○２月号」、「月刊○○３月号」等の代わりに、「月刊○○*月号」のように、ワイルドカード等を使った正規表現でもよい。文字列の完全一致だけでなく、部分一致でもヒットさせることができる。
【００３３】
図４に示すように、記憶手段の一例の印刷条件データベースには、製造情報ＩＤに関連付けられて、画像データを機械３５で印刷する際に必要となる印刷条件が記憶されている。印刷条件の項目として、例えば、Ｃ（シアン）、Ｍ（マゼンタ）、Ｙ（イエロー）、Ｋ（ブラック）等の各色のトーンカーブ、“特色”として、ゴールドやシルバー等の特別の色のトーンカーブ、単位長さ当たりの網点の密度を示す線数、ＡＭ、ＦＭ等の網点の種類を示すスクリーニング、ＧＣＲ、ＵＣＲ等の色変換用プロファイル等が挙げられる。
【００３４】
表示部１３は、例えば、液晶表示素子または有機ＥＬ素子等によって構成されている。表示部１３には、レイヤー化ファイルの設定の画面等が表示される。
【００３５】
操作部１４は、例えば、キーボードおよびマウス等によって構成されている。
【００３６】
入出力インターフェース部１５は、通信部１１および記憶部１２と制御部１６とのインターフェースである。
【００３７】
制御部１６は、例えば、ＣＰＵ（Central Processing Unit）１６ａと、ＲＯＭ（Read Only Memory）１６ｂと、ＲＡＭ（Random Access Memory）１６ｃとを有する。制御部１６は、ＣＰＵ１６ａが、ＲＯＭ１６ｂや、ＲＡＭ１６ｃや、記憶部１２に記憶された各種プログラムを読み出して実行する。なお、これらのプログラムを記憶した記録媒体等を制御部１６が読み出し実行してもよい。
【００３８】
［２．設定システムの動作］
次に、本発明の１実施形態に係る設定システム１の動作について図を用いて説明する。
【００３９】
（２．１  製造情報および印刷条件の登録の動作例）
まず、設定装置１０における製造情報および印刷条件の登録の動作例について、図５および図６を用いて説明する。
【００４０】
図５は、設定装置１０における製造情報および印刷条件の決定の動作例を示すフローチャートである。図６は、設定画面の一例を示す模式図である。
【００４１】
図５に示すように、設定装置１０は、設定画面を表示する（ステップＳ１）。具体的には、設定装置１０の制御部１６が、図６に示すように、新規の製造情報の登録や変更する所定の製造情報ＩＤにおける設定画面４０を、表示部１３に表示する。設定画面４０に製造情報ＩＤが表示されてもよい。
【００４２】
次に、設定装置１０は、製造情報を受け付ける（ステップＳ２）。作業者が、設定画面４０の製造情報表示欄４１において、操作部１４により製造情報を入力し、制御部１６が、製造情報を受け付ける。なお、受け付ける製造情報は、印刷物の属性である得意先名のみ、品目名のみ、得意先名および品目名のように一部の製造情報でもよい。製造情報の一部として、品目名、得意先名、印刷折名、印刷機ＩＤ、紙種等の製造情報の項目から、任意の数の項目だけ選んでもよい。また、製造情報の印刷機ＩＤは、スケジュール管理のサーバから情報に基づき、利用可能な印刷装置の印刷機ＩＤを表示してもよい。
【００４３】
また、製造の工程を管理するサーバから、設定する製造情報ＩＤを受信して、製造情報ＩＤに基づき、記憶部１２の製造情報データベースを参照して、製造情報を取得してもよい。
【００４４】
このように、設定装置１０は、画像データから印刷物を印刷装置で印刷して製造するための製造情報であって、前記印刷物の属性を含む前記製造情報を取得する製造情報取得手段の一例として機能する。
【００４５】
次に、設定装置１０は、印刷条件を検索、表示する（ステップＳ３）。具体的には、制御部１６が、記憶部１２の製造情報データベースを参照して、受け付けた製造情報に類似する製造情報を検索する。例えば、制御部１６が、製造情報の項目が複数ある場合、AND条件で検索する。受け付けていない製造情報の項目、すなわち、製造情報に選択されていない項目は検索条件に使用しない。製造情報の項目が複数一致した場合、検索に使用した項目が、より多い製造情報を類似度が高いとして採用する。項目がより多い製造情報が複数一致した場合は、登録日時がより新しい製造情報や、印刷物の属性の一例の品目名が含まれるならば、品目名が近い製造情報を、類似度が高いとして採用する。品目名が近い一例として、同じ書名で、号数が近い品目が挙げられる。なお、検索キーワードとして、「月刊○○*月号」のように、正規表現が使用されてもよい。
【００４６】
制御部１６が、製造情報の一部である印刷物の属性で検索を行ってもよい。例えば、制御部１６が、得意先名のみで検索したり、品目名のみで検索したり、得意先名および品目名の組み合わせで検索したりする。
【００４７】
使用する機械３５が決まっている場合、印刷物の属性の他に、印刷機ＩＤを含めた製造情報に基づき、設定装置１０は、印刷条件を検索してもよい。
【００４８】
そして、制御部１６が、検索された製造情報ＩＤを取得する。
【００４９】
制御部１６が、検索して取得した製造情報ＩＤに基づき、記憶部１２の印刷条件データベースを参照して、対応する印刷条件を取得して、図６に示すように、印刷条件表示欄４２に印刷条件を表示する。
【００５０】
ここで、類似の印刷条件を検索するために、製造情報データベースの各項目に重みを設けて、制御部１６が、検索を行ってもよい。例えば、製造情報に対して、独自性の強い印刷条件である得意先の場合、得意先名の項目の重みを高くする。特に、新規の品目の依頼があった場合、独自性の強い印刷条件である得意先のとき、得意先名の項目の重みを高くし、独自性が平均的な印刷条件である得意先のときは、品目名の重みを高くする。なお、制御部１６が、新規の得意先の場合、得意先の同じ業界を検索してもよい。
【００５１】
なお、ステップＳ２において、製造情報として、印刷物の属性である得意先名と品目名のように製造情報の一部と受け付け、記憶部１２の製造情報データベースを参照して、制御部１６が、類似する製造情報を検索して、検索された製造情報を、設定画面４０の製造情報表示欄４１に表示してもよい。
【００５２】
このように、設定装置１０は、前記記憶手段に記憶されている製造情報の中から、前記取得した製造情報の印刷物の属性に類似する前記印刷物の属性を含む製造情報を検索する検索手段の一例として機能する。
【００５３】
次に、設定装置１０は、印刷条件の修正を受け付ける（ステップＳ４）。作業者が、印刷条件表示欄４２に表示された印刷条件を見て、修正の必要がある印刷条件の各項目を変更する。制御部１６が、印刷条件の各項目の変更を、操作部１４から受け付ける。なお、印刷条件表示欄４２の各項目において、各項目の脇のボタンをクリックすることで、印刷条件の候補が表示されて、選択できるようになっていてもよい。
【００５４】
次に、設定装置１０は、製造情報および印刷条件を登録する（ステップＳ５）。確定の入力を操作部１４から受け付けて、製造情報に対する印刷条件を、記憶部１２のデータベースに登録する。
【００５５】
このように、設定装置１０は、前記画像データを前記印刷装置に適した印刷データに変換するための印刷条件であって、前記変換を調節するトーンカーブを含む前記印刷条件と前記製造情報とを予め関連付けて記憶した記憶手段を参照して、前記取得した製造情報に基づき、前記印刷条件を設定する印刷条件設定手段の一例として機能する。設定装置１０は、前記検索した製造情報に基づき、前記印刷条件を設定する印刷条件設定手段の一例として機能する。
【００５６】
（２．２  印刷条件設定の動作例）
次に、設定装置における印刷条件設定および修正の動作例について、図７を用いて説明する。
【００５７】
図７は、設定装置１０における印刷条件設定および修正の動作例を示すフローチャートである。
【００５８】
図７に示すように、設定装置１０は、製造情報を取得する（ステップＳ１０）。例えば、印刷作業を行う場合、製版・印刷サーバ装置３０等から、制御部１６が製造情報を取得する。制御部１６が、製造の工程を管理するサーバ等から製造情報ＩＤを受信して、製造情報ＩＤに基づき、記憶部１２の製造情報データベースを参照して、製造情報を取得してもよい。制御部１６が、設定画面４０のような画面で作業者が入力した製造情報を受け付けてもよい。なお、新規の品目や新規の顧客の場合、製造情報は一部の項目でもよい。
【００５９】
このように、設定装置１０は、画像データから印刷物を印刷装置で印刷して製造するための製造情報であって、前記印刷物の属性を含む前記製造情報を取得する製造情報取得手段の一例として機能する。
【００６０】
次に、設定装置１０は、印刷条件を検索する（ステップＳ１１）。具体的には、ステップＳ３のように、制御部１６が、記憶部１２の製造情報データベースを参照して、取得した製造情報に類似する製造情報を検索し、対応する製造情報ＩＤを求め、製造情報ＩＤに基づき、記憶部１２の印刷条件データベースを参照して、印刷条件を求める。このように、製造情報に紐付いた印刷条件が、自動設定される。
【００６１】
このように、設定装置１０は、前記画像データを前記印刷装置に適した印刷データに変換するための印刷条件であって、前記変換を調節するトーンカーブを含む前記印刷条件と前記製造情報とを予め関連付けて記憶した記憶手段を参照して、前記取得した製造情報に基づき、前記印刷条件を設定する印刷条件設定手段の一例として機能する。設定装置１０は、前記記憶手段に記憶されている製造情報の中から、前記取得した製造情報の印刷物の属性に類似する前記印刷物の属性を含む製造情報を検索する検索手段の一例として機能する。設定装置１０は、前記検索した製造情報に基づき、前記印刷条件を設定する印刷条件設定手段の一例として機能する。
【００６２】
次に、設定装置１０は、作成指示を出力する（ステップＳ１２）。具体的には、制御部１６が、製版・印刷サーバ装置３０に、検索した印刷条件に基づき、製造情報ＩＤと共に、印刷物の作成指示を出力する。制御部１６が、検索した印刷条件に基づき、階調変換、２値化処理等の指示を出力する。
【００６３】
製版工程では、製版・印刷サーバ装置３０は、印刷条件に基づき、ＤＴＰ装置２０で作成されたコンテンツのデータから製版データを生成し、機械３５が、印刷対象の一例の製版を作成する。
【００６４】
刷版工程では、製版・印刷サーバ装置３０は、ＣＴＰ機能として、印刷条件に基づき、ＤＴＰ装置２０で作成されたコンテンツのデータから刷版データを生成し、機械３５が、印刷対象の一例の刷版を作成する。機械３５が刷版により、印刷対象の一例として試し刷りを行ってもよい。なお、製版工程の製版から、刷版が作成されてもよい。また。刷版を作成するとき、製版・印刷サーバ装置３０またはこれに接続した端末装置において、設定装置１０から作成指示を受信して、自動的に、設定画面４０が表示されて、製造情報表示欄４１に製造情報が表示され、印刷条件表示欄４２に印刷条件が表示されてもよい。必要であればこのとき作業者が印刷条件を変更したうえで、刷版が作成されてもよい。
【００６５】
デジタル印刷の場合、製版・印刷サーバ装置３０は、印刷条件に基づき、ＤＴＰ装置２０で作成されたコンテンツのデータからデジタル印刷用のデータを生成し、機械３５が、印刷対象の一例の印刷物を出力する。
【００６６】
次に、設定装置１０は、フィードバック情報を取得する（ステップＳ１３）。ステップＳ１２の出力の結果、ハイライト側のＭ版を２％上げる、全色を中間で５％上げる等のフィードバック情報を、製版工程や刷版工程等の各工程において、制御部１６が各製版・印刷サーバ装置３０から、製造情報ＩＤと共に取得する。図６に示すように、設定画面４０が表示部１３に表示されて、印刷条件表示欄４２の各項目の修正を行うことで、制御部１６が、出力結果の一例のフィードバック情報を取得してもよい。
【００６７】
また、製版・印刷サーバ装置３０等において、設定画面４０が表示されて、印刷条件表示欄４２において、各色のトーンカーブ等が修正され、修正結果を、フィードバック情報として、製版・印刷サーバ装置３０が、設定装置１０に送信してもよい。刷版工程でのこの修正は、製版工程等の上流まで戻らず、刷版工程での製版・印刷サーバ装置３０において直ぐに反映され、製版・印刷サーバ装置３０は、ＣＴＰ機能として、修正された印刷条件に基づき、コンテンツのデータから刷版データを生成し、機械３５が刷版を出力してもよい。
【００６８】
このように、設定装置１０は、前記印刷物を含む印刷対象を出力した出力結果を取得する出力結果取得手段の一例として機能する。
【００６９】
次に、設定装置１０は、データベースを修正する（ステップＳ１４）。具体的には、制御部１６が、取得したフィードバック情報および製造情報ＩＤに基づき、記憶部１２の印刷条件データベースの印刷条件の項目を修正する。なお、修正前の印刷条件を残し、制御部１６が、修正後の印刷条件を、製造情報ＩＤに関連付けて、印刷条件データベースに別に登録してもよい。必要に応じて、登録された印刷条件を変更や削除することにより、製造情報に基づく印刷設定の自動設定がより適切なものになるように、データベースのメンテナンスを行ってもよい。再度、刷版作成をするときには、前回までの印刷条件の登録情報をもとに、適切な印刷条件が自動設定されやすくなる。
【００７０】
このように、設定装置１０は、前記出力結果に基づき、前記記憶手段の前記印刷条件を修正する印刷条件修正手段の一例として機能する。
【００７１】
以上、本実施形態によれば、印刷条件と製造情報とを予め関連付けて記憶した記憶手段から、印刷物の属性を含む製造情報に基づき、変換を調節するトーンカーブを含む印刷条件が設定されるので、印刷条件の項目の値を作業者が入力する手間が軽減して作業効率が向上する。製造情報が与えられると、印刷条件が自動設定されることもできる。また、印刷条件と製造情報とが関連付けて記憶されているため、データのメンテナンス等の管理がしやすくなる。同じような製造情報で再び印刷する場合、印刷条件の項目の値を作業者が入力する手間が軽減して作業効率が向上する。
【００７２】
また、刷版等の印刷対象を作成する工程において、製造情報から最適な印刷条件を設定できるので、印刷条件の項目の値を作業者が入力する手間が軽減して作業効率が向上する。
【００７３】
また、カラー印刷の場合、刷版等の印刷対象を作成する工程において、製造情報から最適な印刷条件を色版毎に設定できるので、印刷条件の各項目の値を作業者が入力する手間が軽減して作業効率が向上する。
【００７４】
また、記憶部１２のデータベースに記憶されている製造情報の中から、取得した製造情報の印刷物の属性に類似する印刷物の属性を含む製造情報を検索し、検索した製造情報に基づき、印刷条件を設定する場合、印刷物が新しい品目でも、新規の顧客でも、類似する印刷物の属性を含む製造情報を検索して、印刷装置に適する、似たような印刷条件が設定されるので、印刷条件を調整の手間が軽減して作業効率が向上する。
【００７５】
例えば、得意先名で、類似する製造情報を検索することで、特定の品目に適した印刷条件を自動設定できる。得意先名と品目名の両方で類似する製造情報を検索することで、得意先の顧客の品目に適した印刷条件を自動設定できる。また。得意先の顧客からの新規の品目の注文があった場合でも、新規の品目に近い印刷条件に自動設定することもでき、自動設定された印刷条件を編集することで、新規の品目に適した印刷条件の設定の作業の負荷が低減できる。
【００７６】
また、印刷物を含む印刷対象を出力した出力結果を取得し、出力結果に基づき、記憶部１２のデータベースの印刷条件を修正する場合、出力結果が記憶部１２のデータベースにフィードバックされ、記憶部１２のデータベースから、印刷条件を検索する際の精度が高まる。
【００７７】
また、製造情報は、印刷装置の情報を含む場合において、複数の印刷装置の中から所定の印刷装置で印刷するとき、印刷装置の固有の性質に合わせて調節された印刷条件を設定することができるので、印刷装置の固有の性質に合わせて、印刷条件を調整する手間が軽減して作業効率が向上する。
【符号の説明】
【００７８】
１０：設定装置
１２：記憶部（記憶手段）
１６：制御部
３５：機械（印刷装置）
４０：設定画面
４１：製造情報表示欄
４２：印刷条件表示欄
【図１】
2019162821.tif 000003
【図２】
2019162821.tif 000004
【図３】
2019162821.tif 000005
【図４】
2019162821.tif 000006
【図５】
2019162821.tif 000007
【図６】
2019162821.tif 000008
【図７】
2019162821.tif 000009